(57)【要約】【課題】  使い捨てオムツを処理する袋体の取付構造に特徴をもたせることにより、臭いや漏れなどを押さえて衛生的かつ効率的に処理できる使い捨てオムツを提供する。【解決手段】  使い捨てオムツ１は、オムツ本体２と、それを使用後に収容する防水性及び気密性を有する袋体３と、その袋体３をオムツ本体２に取り付けるための保護カバー４とを有する。そして上記の袋体３は、粘着剤付きの処理テープ５を取り付けられて折り畳まれており、処理テープ５の一部を引っ張ることにより保護カバー４から取り出されて展開され、オムツ本体２を収容した後にその処理テープ５を用いて開口が閉じられる。【選択図】          図１
0003133682.tif 000002
【実用新案登録請求の範囲】
【請求項１】
オムツ本体と、それを使用後に収容する防水性及び気密性を有する袋体と、その袋体をオムツ本体に取り付けるための保護カバーとを有する使い捨てオムツであって、
上記袋体は、粘着剤付きの処理テープを取り付けられて折り畳まれており、その処理テープの一部を引っ張ることにより保護カバーから取り出されて展開され、オムツ本体を収容した後にその処理テープを用いて開口が閉じられるものである
ことを特徴とする使い捨てオムツ。
【請求項２】
上記袋体の開口縁の一部に上記の処理テープが取り付けられるとともに、その開口縁の他の一部がオムツ本体に固着されていて、処理テープの一部を引っ張ることにより、袋体が、折り畳まれた状態から展開されるとともに開口を開くことを特徴とする請求項１に記載の使い捨てオムツ。
【請求項３】
上記保護カバーは、折り畳まれた状態の上記袋体を覆う大きさに、オムツ本体の外側シートと同一の素材により構成されていることを特徴とする請求項１または２に記載の使い捨てオムツ。
【請求項４】
上記保護カバーは、オムツ本体の外側シートに対し、接着されまたは剥離可能に接着されていることを特徴とする請求項３に記載の使い捨てオムツ。
【請求項５】
上記オムツ本体の外側シートが、単色もしくは複数色に着色され、または絵柄や文字が描かれていることを特徴とする請求項１〜４のいずれかに記載の使い捨てオムツ。
【考案の詳細な説明】
【技術分野】
【０００１】
本考案は、紙オムツ等を使用した後、臭いや漏れなどを防止して衛生的に処理できる袋を備えた、使い捨てのオムツに関するものである。
【背景技術】
【０００２】
使い捨ての紙オムツは、基本的には、肌に直接触れる内面側の透液性層と、外面側の不透液性層との間に吸収体を介在させた積層シートを素材とし、それを折り畳んで前身頃および後身頃が形成されたものである。
使い捨て紙オムツのなかには、使用後の廃棄処理に備えた廃棄用テープが取り付けられたものがある。廃棄用テープは、後身頃の外面中央部ないしその上方に一端が固着され、全体が長さ方向に折り畳まれたうえ、他の端部より引き出されるようにオムツ本体に取り付けられている。使用済の紙オムツを廃棄処理する際は、例えば、紙オムツを股間部側からぐるぐると巻き上げて円筒状にした後、廃棄用テープを巻き付けて紙オムツが広がらないようにする。
【０００３】
ところがこのような従来の使い捨てオムツでは、使用後において、大便の場合には悪臭が外部に発散し、場合によっては大便が外側に漏れ出ることがあった。これは、使用済の使い捨てオムツを単に丸めて粘着テープで止めているに過ぎないからである。このため、特に外出時には、使用済のオムツの防臭や漏れ防止のために、使用済のオムツを入れる袋を持ち歩く必要があった。
【０００４】
そこで、これらの問題を解決するために、様々なものが開発されている。例えば、紙オムツの後身頃の外面にポリ袋を入れた袋収納部を設けておき、紙オムツを使用した後に、前記袋収納部からポリ袋を取出して紙オムツを入れ、ポリ袋の開口部を閉めることによって排泄物の臭いや漏れを押さえることができる処理袋、が開示されている（例えば特許文献１・２を参照。）。
【０００５】
【特許文献１】特開２００１−１０４３７６号公報
【特許文献２】実用新案登録３０９３５６７号公報
【考案の開示】
【考案が解決しようとする課題】
【０００６】
特許文献１・２に記載された処理袋は、紙オムツの後身頃の外面側にポリ袋を入れた袋収納部が固着されているもので、紙オムツの使用後は、前記袋収納部からポリ袋を取出して紙オムツを入れるようになっている。紙オムツが使用されて汚れた場合、ポリ袋を取り出して開口部を開くとともに使用済みオムツを巻き込むことをほぼ同時に行ったうえ、開いたポリ袋に巻いたオムツを入れる必要がある。
【０００７】
しかし、そうした動作は必ずしもスムーズに行えるものではない。ポリ袋を片手で保持しながら紙オムツを巻いたり、巻いた使用済みオムツを片手で保持しながら他方の手で袋収納部からポリ袋を取り出して開口部を開いたりせねばならないからである。戸外で処理するときには、取り出したポリ袋が風で飛ばされないようにする必要もある。
【０００８】
本考案は、これらの課題を解決するためになされたもので、臭いや漏れなどを防止できるよう衛生的な処理ができ、しかもその処理を容易に行える使い捨てオムツを提供すること目的としている。
【課題を解決するための手段】
【０００９】
請求項１に記載の使い捨てオムツは、オムツ本体と、それを使用後に収容する防水性及び気密性を有する袋体と、その袋体をオムツ本体に取り付けるための保護カバーとを有する使い捨てオムツである。そして上記の袋体は、粘着剤付きの処理テープを取り付けられて折り畳まれており、処理テープの一部を引っ張ることにより保護カバーから取り出されて展開され、オムツ本体を収容した後にその処理テープを用いて開口が閉じられるものである。
この使い捨てオムツにおける上記の袋体は、処理テープの一部（引出部）が引っ張られるとき、保護カバーにてオムツ本体に取り付けられた状態から取り出されて展開されるので、使用後の使い捨てオムツの処理が手際よく行える。オムツ本体を袋体に収容したのちは、上記と同じ処理テープを用いて容易に開口を閉じることができるので、臭いや漏れなどを防止する衛生的な処理が可能である。お出かけや旅行の際にも好都合であるうえ、ごみ収集日まで自宅で保存する場合やごみ収集の際の防臭にも効果的である。
上記袋体の取り付け方としては、a)保護カバーにシート状のものを採用したうえ、袋体の取り出し部分を除く周囲をオムツ本体に接着する（つまり図１・図２等のようにする）こととし、または、b)開口付きの小さな袋状のものを保護カバーとし、上記袋体を取り出すためその開口が保たれるように、当該袋状の保護カバーの片面を両面テープ等でオムツ本体に接着することにするとよい。
なお、上記の袋体は、小さく折り畳まれたうえで上記a)またはb)のようにオムツ本体に取り付けられるため、使用時においてオムツ本体の通気性を妨げることが少ない。つまり、オムツ本体の内部が蒸れることがない。
【００１０】
請求項２の使い捨てオムツは、上記袋体の開口縁の一部に上記の処理テープが（たとえば三つ折りにされて）取り付けられるとともに、その開口縁の他の一部（処理テープを取り付けた部分の反対側など）がオムツ本体に固着されていて、処理テープの一部を引っ張ることにより、袋体が、折り畳まれた状態から展開されるとともに開口を開くことを特徴とする。
使用済みオムツの処理をする人が処理テープの一部（引出部）を引っ張ると、折り畳まれて保護カバー内に保持されていた袋体は、折り畳まれた状態から展開されながら保護カバーから取り出される。処理テープが袋体の開口縁の一部に取り付けられているうえ、その開口縁の他の一部がオムツ本体に固着されているため、その際、袋体は開口を大きく開きながら展開される。そのようにして袋体が開口を開くと、使用後の使い捨てオムツは、円筒状等に巻き込んだうえその開口縁より袋体の内部にそのまま入れることができ、処理がたいへん容易になる。
【００１１】
請求項３に記載の使い捨てオムツは、上記保護カバーが、折り畳まれた状態の上記袋体を覆う大きさに、オムツ本体の外側シートと同一の素材により構成されていることを特徴とする。
保護カバーの素材がオムツ本体の外側シートと同一であれば、オムツ本体が全体にわたって通気性を有し得ることとなり、好ましい。また、外観や触感についてオムツ本体と一体性があるので、保護カバーが目立たず、違和感のないものとなる。またそのために、乳幼児等に引き剥がされるおそれも少なくなる。
【００１２】
請求項４の使い捨てオムツは、保護カバーが、オムツ本体の外側シートに対し、接着されまたは剥離可能に接着されていることを特徴とする。
これによれば、別途形成した保護カバーを、折り畳んだ袋体を覆うようにオムツ本体の後部に貼付するだけで使い捨てオムツを完成させられることから、製造が簡単である。また、剥離可能に接着することにより、処理テープの引出部を保護カバーで覆うことができる（処理テープを引き出す際には保護カバーの一部を剥離して処理テープをつかむこととする）ので、乳幼児等が引き出し部を引っ張って袋体を出してしまうことを防止することができる。
【００１３】
請求項５の使い捨てオムツは、上記オムツ本体の外側シートが、単色もしくは複数色に着色され、または絵柄や文字が描かれていることを特徴とする。
このようにすれば、外観が良いために乳幼児等に好まれて、楽しく履かせることができる。また、保護カバーや処理テープが目立たなくなるので、乳幼児が無意識のうちに保護カバーを剥がしたり処理テープ（袋体）を引っ張り出したりすることが避けられる。
【考案の効果】
【００１４】
請求項１の使い捨てオムツによれば、処理テープの一部を引っ張るだけの操作で袋体が展開されるため、使用後の使い捨てオムツの処理が手際よく行える。オムツ本体の内部が蒸れにくい、という利点もある。
請求項２の使い捨てオムツによれば、処理テープの引出部を引っ張るとき、袋体は開口を大きく開きながら展開されるため、使用後のオムツの処理がとくに手際よく行える。
請求項３の使い捨てオムツは、通気性、外観、触感において好ましく、また乳幼児等に保護カバーが剥がされるおそれも少ない。
請求項４の使い捨てオムツは、簡単に低コストで製造できる。また、乳幼児等が袋体を引っ張り出してしまうことを防止しやすい。
請求項５の使い捨てオムツによれば、外観が良いために乳幼児等に好まれるほか、乳幼児によって保護カバーが剥がされることが防止されやすい。
【考案を実施するための最良の形態】
【００１５】
考案の実施形態について、図面に基づき詳細に説明する。図１は、本考案の一実施形態を示す使い捨てオムツの背面図であり、図２は、図１の使い捨てオムツの保護カバーと袋体をオムツ本体側（つまり内側）から見た説明図である。また、図３は、本考案の実施形態に係る袋体の折り畳み手順を示す説明図である。
【００１６】
図１および図２において、使い捨てオムツ１は、オムツ本体２と、オムツ本体２を収容可能な大きさの防水性及び気密性を有する袋体３と、その袋体３をオムツ本体２の背中部である後身頃（外側シート）２１に取り付ける保護カバー４とにより構成されている。
【００１７】
オムツ本体２は、従来の使い捨てオムツとほぼ同様のもので、乳幼児の肌に直接触れる内面側の透液性層と外面側の不透液性層との間に吸収体を介在させた積層シートを折り畳んで、前身頃および後身頃が形成されている。折り畳まれた前身頃と後身頃の両側縁２２を、互いに接着閉鎖して、両足と胴部が挿入できる開口部２３が設けられパンツ状に形成されている。また、前記それぞれの開口部２３は、身体に密着するようにゴムシャーリング（伸縮処理）が施されている。
【００１８】
前記オムツ本体２の後身頃（外側シート）２１の表面には、上記した保護カバー４が接着されている。保護カバー４は、オムツ本体２の積層シートを構成する不透液性層の外側シート２１と同一素材で形成されたもので、横長の長方形（たとえば約４ｃｍ×約８ｃｍ）であり、袋体取出口４１を除く周縁にオムツ本体２に接着するための接着剤４２が貼付されている。接着剤４２に代えて粘着剤や再剥離可能接着剤を貼付してもよい。
【００１９】
保護カバー４の内側（オムツ本体２の表面との間）には、所定の大きさに折り畳まれた状態で袋体３が収容されている。袋体３には、後述する処理テープ５が付設され、その先端部である引出部５４は、保護カバー４から突出した状態に設けられている。
【００２０】
袋体３は、防水性および気密性を有する素材であるポリエチレン（ＬＤＰＥ）またはポリプロピレン（ＰＰ）等から形成されており、一辺に開口部を有し、それ以外の部分が密閉構造にされたものである。例えば、０．０１５ｍｍ厚さ×２００ｍｍタテ×２００ｍｍヨコのポリエチレン袋が用いられる。
【００２１】
図３に示すように袋体３の開口部３１には、任意の一辺の中央部に処理テープ５が付設されている。処理テープ５は、袋体３を展開するとともに袋体３の開口部３１を止着するためのものである。
処理テープ５を付けたこの袋体３は、開口部３１がオムツ本体２の胴部の開口と同じ側（図の上側）を向くように取り付け、かつ、処理テープ５を付設した一辺がオムツ本体２の反対面となるようにし、処理テープ５がオムツ本体２に接触しないようにしている。また、オムツ本体２と接触している袋体３の開口部３１の一部がオムツ本体２に固着されている。そのため、保護カバー４内に折り畳まれて保持されている袋体３は、前記処理テープ５の引出部５４を引っ張り出すことにより、袋体３は開口部３１が拡がりながら展開されて引き出される。
【００２２】
ここで、処理テープ５を袋体３に付設する位置および袋体３の折り畳み方について、その一例を図３に基づいて説明する。なお、折り畳み方はこれに限るものではなく、袋体３の開口部３１が拡がりながら展開されるものであればよい。図３（ａ）は袋体３の正面図であり、袋体３の上部にある開口部３１の縁部中央に処理テープ５が付設されている。なお、説明を容易にするために、処理テープ５を付設した面を表面、その反対側を裏面という。袋体３の開口部３１と平行な方向に８等分する位置を点線で示しており、それぞれ、イ、ロ、ハ、ニ、ホ、ヘ、トとする。袋体の表面側から見て、イ、ハ、ホ、トは谷折り線で、ロ、ニ、ヘは山折り線である。
【００２３】
図３（ｂ）は、袋体３を山折および谷折りした状態を示す側面図であり、イ〜トが山折りまたは谷折りされている。これを矢印方向、すなわち、処理テープ５側に折り畳むと、図３（ｃ）に示す正面図の形状となる。図３（ｃ）において、袋体３の開口部３１の直角方向に３等分する位置を点線で示しており、それぞれチ、リとする。このチ、リは表面からみて谷折り線であり、矢印方向に折り畳むと図３（ｄ）に示す正面図のようになる。図３（ｄ）のように折り畳まれた袋体３は、図１・図２のように保護カバー４に保持されてオムツ本体２に取り付けられる。
【００２４】
図４は、処理テープ５の実施形態の一例を示す正面図である（テープの厚みを拡大表示している）。処理テープ５の材質としては、例えばポリプロピレン、ポリエステル等が用いられる。処理テープ５は、連続したテープ状の基材５１、基材５２、基材５３が２回折り畳まれてＺ型の三つ折りにされている。基材５１の下面および基材５３の下面には接着剤層５５が設けられ、基材５１の下面の接着剤層５５に対向する基材５２の面には、離型剤層５６が設けられている。また、基材５２と基材５３が当接する面には、再剥離可能な接着層や粘着層などの仮着手段５７が設けられて、Ｚ型に折り畳んだ処理テープ５の形状が保持されている。また、基材５１の先端部には引出部５４が設けられている。
【００２５】
図４（ｂ）は処理テープ５を伸長した状態を示す正面である。図４（ｂ）において、引出部５４を矢印方向に引っ張ると、離型剤層５６および仮着手段５７が離れて、Ｚ型に折り畳まれていた処理テープ５が、一本の連続したテープに伸長する。ここで、基材５１の下面の接着剤層５５が、使用後の使い捨てオムツ１を収納した袋体３の開口部３１を止着する手段となる。
【００２６】
次に、本考案の使い捨てオムツの使用方法について、図５〜図７に基づいて説明する。図５（ａ）は、使用済みオムツ本体２の下部が巻かれた状態を示す説明図、図５（ｂ）は処理テープ５の引出部５４を引っ張って、袋体３の一部が保護カバー４から出た状態を示す説明図、図６（ｃ）は処理テ−プ５を引き続けることにより、開口部３１が広がりながら袋体３が引き出された状態を示す説明図、図６（ｄ）はオムツ本体２を袋体３に収容しようとする状態を示す説明図、図７はオムツ本体２が袋体３に入れられた後、処理テープ５で袋体３の開口部３１が止着された状態を示す説明図である。使用方法の詳細は以下のとおりである。
【００２７】
使用済みの使い捨てオムツ１を乳幼児等から取り外したとき、まず、後身頃（外側シート）２１が外側になるようにオムツ本体２を股間側からぐるぐると巻き込み、その形状を片手などで保持する（図５（ａ）参照。）。
【００２８】
オムツ本体２に取り付けられている保護カバー４から出ている処理テープ５の引出部５４を矢印の方向に引き出すと、保護カバー４内部に折り畳まれて保持されている袋体３が、引き出される（図５（ｂ）参照。）。
【００２９】
引出部５４を引き続けると、袋体３の開口部３１が大きく拡がりながら、袋体３全体が展開されて引き出される。なお、オムツ本体２と袋体３の開口部３１が接触している裏面は、接着剤３２等で固着されている（図６（ｃ）参照。）。
【００３０】
円筒状に保持されているオムツ本体２を、広げられた開口部３１から袋体３の内部に収納し（図６（ｄ）参照。）、処理テープ５の基材５３の端部を指等で保持したまま引出部５４を引っ張ると、処理テープ５は図４（ｂ）のように線状に伸長するので、伸長した処理テープ５を袋体３の円周方向に巻き付けて、その開口部３１を止着する（図７参照）。
【００３１】
図８は、考案の他の実施例として乳幼児等のための他のオムツを示す背面図である。図１〜図７のオムツと同一の部分には同一の符号を付けている。図８において、オムツ本体２の後身頃（外側シート）には、妖精の絵柄７とアルファベット文字８とがデザインされている。また、図示していないが、オムツ本体や保護カバーの一部または全部を単色や多色で着色したり、色彩、絵柄、文字またはこれらの組み合わせによる他の絵柄や文字等を施したりすることが可能である。このようにデザインすることにより美観が向上し、乳幼児等に適した使い捨てオムツとなる。
【産業上の利用可能性】
【００３２】
本考案の使い捨てオムツは、主としてパンツ式オムツについて述べたが、使用後に廃棄処理される様々な形式の使い捨て用品に適用することが可能である。
【図面の簡単な説明】
【００３３】
【図１】本考案の実施形態を示す使い捨てオムツの背面図である。
【図２】図１の使い捨てオムツの保護カバーと袋体を、オムツ本体側から見た説明図である。
【図３】本考案の実施形態の、袋体の折り畳み手順を示す説明図である。
【図４】本考案の実施形態の処理テープを示す正面図である。
【図５】本考案の実施形態を示す使い捨てオムツの処理手順を示す説明図である。
【図６】本考案の実施形態を示す使い捨てオムツの処理手順を示す説明図である。
【図７】本考案の実施形態を示す使い捨てオムツの処理手順を示す説明図である。
【図８】本考案の他の実施形態を示す使い捨てオムツの背面図である。
【符号の説明】
【００３４】
１  使い捨てオムツ
２  オムツ本体
３  袋体
４  保護カバー
５  処理テープ
３１  開口部
５４  引出部
５５  接着剤層
【図１】
0003133682.tif 000003
【図２】
0003133682.tif 000004
【図３】
0003133682.tif 000005
【図４】
0003133682.tif 000006
【図５】
0003133682.tif 000007
【図６】
0003133682.tif 000008
【図７】
0003133682.tif 000009
【図８】
0003133682.tif 000010